(57)【要約】      （修正有）【課題】陳列される商品の損傷を防止して商品を保護することができる商品陳列用パッケージを提供する。【解決手段】商品陳列用パッケージ１は、商品２を出し入れ可能とする開口部１０を有するケース本体３と、開口部１０を覆うように基端部１１Ａがケース本体３に連なって揺動可能なカバー部材１１と、カバー部材１１が開口部１０を覆っているときにカバー部材１１の自由端部１１Ｂ側をケース本体３に保持するためのカバー保持機構とを備えている。【選択図】図１
0003211942.tif 000002
【実用新案登録請求の範囲】
【請求項１】
商品を収納して陳列するための商品陳列用パッケージにおいて、前記商品を出し入れ可能とする開口部を有するケース本体と、前記開口部を覆うように基端部が前記ケース本体に連なって揺動可能なカバー部材と、前記カバー部材が前記開口部を覆っているときに前記カバー部材の自由端部側を前記ケース本体に保持するためのカバー保持機構とを備えることを特徴とする商品陳列用パッケージ。
【請求項２】
前記ケース本体には、前記ケース本体を吊り下げ可能とする吊下用部材を備えたことを特徴とする請求項１に記載の商品陳列用パッケージ。
【請求項３】
前記ケース本体は、前記商品の形状に対応して拡縮可能となるように、少なくとも一部が蛇腹状部材によって構成されたことを特徴とする請求項１に記載の商品陳列用パッケージ。
【考案の詳細な説明】
【技術分野】
【０００１】
この考案は、商品陳列用パッケージに係り、商品を収納して陳列するための商品陳列用パッケージに関する。
【背景技術】
【０００２】
一般的に、たばこは、複数本（例えば２０本）が所定に整列されてたばこ箱内に入れられている。商品としてのたばこ箱は、たばこの種類に応じた所定の規格品であって、長方体形状に形成されている。
たばこ箱としては、例えば、ユーザーがたばこを容易に取り出すことができるように、選択可能な複数の開封手段を備えたものがある。
【先行技術文献】
【特許文献】
【０００３】
【特許文献１】特開平７−１５６９８１号公報
【考案の概要】
【考案が解決しようとする課題】
【０００４】
ところが、例えば、たばこが入ったたばこ箱を展示するときには、たばこ箱をそのまま展示台や展示棚などに陳列しているので、その取り扱い中や陳列中に、たばこ箱が損傷し易くなるという不都合があった。
【０００５】
そこで、この考案は、陳列される商品の損傷を防止して商品を保護することができる商品陳列用パッケージを提供することを目的とする。
【課題を解決するための手段】
【０００６】
この考案は、商品を収納して陳列するための商品陳列用パッケージにおいて、前記商品を出し入れ可能とする開口部を有するケース本体と、前記開口部を覆うように基端部が前記ケース本体に連なって揺動可能なカバー部材と、前記カバー部材が前記開口部を覆っているときに前記カバー部材の自由端部側を前記ケース本体に保持するためのカバー保持機構とを備えることを特徴とする。
【考案の効果】
【０００７】
この考案は、カバー部材が開口部を覆うよう基端部を中心に揺動し、カバー部材が開口部を覆っているときにカバー保持機構がカバー部材の自由端部側をケース本体に保持することから、陳列される商品の損傷を防止して商品を保護することができる。
【図面の簡単な説明】
【０００８】
【図１】図１は開口部を開放してたばこ箱を収納するときのたばこ箱用パッケージの斜視図である。（実施例１）
【図２】図２は開口部を開放するようにカバー部材の自由端部側を展開した状態のたばこ箱用パッケージの斜視図である。（実施例１）
【図３】図３は開口部を覆うようにカバー部材の自由端部側を前面壁に保持した状態のたばこ箱用パッケージの斜視図である。（実施例１）
【図４】図４は開口部を覆うようにカバー部材の自由端部側を前面壁に保持した状態のたばこ箱用パッケージの一部拡大断面図である。（実施例１）
【図５】図５は開口部を開放するようにカバー部材の自由端部側を展開した状態のたばこ箱用パッケージの斜視図である。（実施例２）
【図６】図６は開口部を覆うようにカバー部材の自由端部側を前面壁に保持した状態のたばこ箱用パッケージの斜視図である。（実施例２）
【図７】図７は開口部を覆うようにカバー部材の自由端部側を前面壁に保持した状態のたばこ箱用パッケージの一部拡大断面図である。（実施例２）
【図８】図８は開口部を開放するようにカバー部材の自由端部側を展開した状態のたばこ箱用パッケージの斜視図である。（実施例３）
【図９】図９は開口部を覆うようにカバー部材の自由端部側を前面壁に保持した状態のたばこ箱用パッケージの斜視図である。（実施例３）
【図１０】図１０は開口部を覆うようにカバー部材の自由端部側を前面壁に保持した状態のたばこ箱用パッケージの一部拡大断面図である。（実施例３）
【図１１】図１１は開口部を開放するようにカバー部材の自由端部側を展開した状態のたばこ箱用パッケージの斜視図である。（実施例４）
【考案を実施するための形態】
【０００９】
この考案は、陳列される商品の損傷を防止して商品を保護する目的を、開口部を覆うように基端部がケース本体に連なって揺動可能なカバー部材と、カバー部材が開口部を覆っているときにカバー部材の自由端部側をケース本体に保持するためのカバー保持機構とを備えて実現するものである。
【実施例１】
【００１０】
図１〜図４は、この考案の実施例１を示すものである。
図１に示すように、商品陳列用パッケージとしての、例えば、たばこ箱用パッケージ１は、所定に整列された複数本（例えば２０本）のたばこが入ったたばこ箱２を収納し、展示などで陳列するために用いられるものである。商品としてのたばこ箱２は、たばこの種類に応じた所定の規格品であって、高さＨ・幅Ｗ・奥行きＤで長方体形状に形成されている。
たばこ箱用パッケージ１は、たばこ箱２に倣った形状であって、高さＨ１・幅Ｗ１・奥行きＤ１で直方体形状のケース本体３を備え、その素材が、例えば、透明なポリ塩化ビニール（ＰＶＣ）で形成される。ここで、たばこ箱２とケース本体３とでは、たばこ箱２をケース本体３内に収納することから、Ｈ＜Ｈ１、Ｗ＜Ｗ１、Ｄ＜Ｄ１の関係がある。
図２に示すように、ケース本体３は、正面壁４と背面壁５と右側面壁（正面側から視て右側の壁）６と左側面壁（正面側から視て左側の壁）７と底面壁８とを備え、内部でたばこ箱２を収納するための収納空間９を形成するとともに、上部ではたばこ箱２を出し入れ可能とする断面長方形状の開口部１０を有している。正面壁４には、の開口部１０側で、下方へへこむように湾曲する湾曲面４Ａが形成されている。
【００１１】
ケース本体３には、開口部１０を覆うように基端部１１Ａが背面壁５の上端部位に連なるカバー部材１１が一体的に備えられる。カバー部材１１の基端部１１Ａは、ケース本体３の背面壁５の上端部位に一体的に連設し、背面壁５の上端部位に対して揺動可能（回動可能）になっている。なお、カバー部材１１は、ケース本体３とは別個の部材で構成することも可能である。
カバー部材１１は、いわゆるフラップ状であって、基端部１１Ａから背面壁５と同じ幅Ｗ１で且つ長さＬ１に形成された覆い用部１２と、覆い用部１２に連なって自由端部１１Ｂ側へ窄むように所定の長さＬ２で形成された保持用部１３とを備える。従って、保持用部１３の先端部位は、カバー部材１１の自由端部１１Ｂとなる。カバー部材１１の自由端部１１Ｂは、覆い用部１２の幅Ｗ１よりも小さな幅Ｗ２に形成されている。
【００１２】
カバー部材１１は、基端部１１Ａを中心に揺動し、覆い用部１２が開口部１０を覆っているときに、自由端部１１Ｂ側がカバー保持機構（カバー揺動防止機構）１４によってケース本体３の正面壁４の外表面に動かないように保持される。
カバー保持機構１４は、左右方向へ延びる帯通し部材（ベルト）１５を備える。帯通し部材１５は、高さＨ２で且つ幅Ｗ３に形成され、両端部位である右端１５Ａ・左端１５Ｂのみが、例えば、ケース本体３の右側面部６・左側面部７に、所定の固着手段１６としての右側固着手段１６Ａ・左側固着手段１６Ｂで固定される（図４参照）。これにより、帯通し部材１５と正面壁４の外表面との間には、隙間が形成される。なお、帯通し部材１５の右端１５Ａ・左端１５Ｂは、ケース本体３の正面部４の右端・左端に固着することも可能である。
帯通し部材１５の上端面は、正面壁４の上端部位から距離Ｅ１だけ離れて配置される（図２参照）。
帯通し部材１５と正面壁４との隙間には、カバー部材１１の自由端部１１Ｂ側が差し込まれて動かないように保持される（揺動不可能）（図３、図４参照）。この場合、カバー部材１１の自由端部１１Ｂの先端面は、帯通し部材１５の下端面から所定の距離Ｅ２だけ離れて配置される（図３参照）。
これにより、カバー部材１１は、図３、図４に示すように、覆い用部１２が上方へ突出する湾曲形状になって開口部１０を上方から覆い、自由端部１１Ｂがケース本体３の正面壁４の外表面に保持される。
【００１３】
図２〜図４に示すように、ケース本体３には、ケース本体３をフックなどに引っ掛けて吊り下げ可能にするための吊下用部材１７が備えられる。吊下用部材１７は、板状であって、高さＨ３・幅Ｗ４で形成される（図３参照）。
吊下用部材１７は、基端部１７Ａが背面壁５の上部で且つ略中央部位に固定され、基端部１７Ａよりも上方に配置される自由端部１７Ｂに所定の直径の吊下用孔１８を形成している。
これにより、たばこ箱用パッケージ１は、吊下用部材１７の自由端部１７Ｂが店内のフックなどに吊り下げられることにより、吊り下げ状態で陳列される。
なお、吊下用部材１７は、例えば、背面壁５の一部に切り抜き線を入れて形成することも可能である。
【００１４】
この実施例１の構造によれば、たばこ箱用パッケージ１は、開口部１０を覆うように基端部１１Ａがケース本体３に連なって揺動可能なカバー部材１１と、カバー部材１１が開口部１０を覆っているときにカバー部材１１の自由端部１１Ｂをケース本体３に保持するためのカバー保持機構１４とを備える。
たばこ箱用パッケージ１は、図３に示すように、ケース本体３内にたばこ箱２を収納し、カバー部材１１の覆い用部１２が開口部１０を上方から覆い、カバー部材１１の自由端部１１Ｂが帯通し部材１５によって保持され、底面壁８が展示台や展示棚上に設置される。
これにより、たばこ箱２が収納されたばこ箱用パッケージ１を店内などで陳列するときに、陳列者がたばこ箱２を直接触ることがなく、また、たばこ箱２がケース本体３内から飛び出ることがないので、たばこ箱２の損傷を防止し、また、ケース本体３内に塵埃が侵入することがないので、たばこ箱２の汚染を防止し、この結果、たばこ箱２を保護することができる。
また、たばこ箱２がたばこ箱用パッケージ１に収納されていることから、店内において顧客への注目度を高くすることができる。
更に、たばこ箱用パッケージ１を吊下用部材１７によってフックなどへ吊り下げ状態とすることができ、陳列状態を容易に変更することができる。
なお、この実施例１に係るたばこ箱用パッケージ１においては、吊下用部材１７を省略して用いることも可能である。
【実施例２】
【００１５】
図５〜図７は、この考案の実施例２を示すものである。
以下の実施例においては、上述の実施例１と同一機能を果たす箇所には、同一符号を付して説明する。
この実施例２の特徴とするところは、以下の点にある。即ち、カバー保持機構１４は、例えば、ケース本体３の正面壁４に設けた基材２１に形成された係合凹部２２と、係合凹部２２に嵌合するようにカバー部材１１の自由端部１１Ｂ側で突出して形成された係合凸部２３とからなる。なお、基材２１は、正面壁４と一体に形成したり、あるいは、正面壁４とは別の部材で構成することも可能である。
また、ケース本体３には、上記の実施例１と同様に、吊下用部材１７が備えられる。
この実施例２の構成によれば、上記の実施例１と同様な効果を得るとともに、図７に示すように、カバー部材１１の係合凸部２３をケース本体３の正面壁４の係合凹部２２に嵌合することにより、カバー部材１１の自由端部１１Ｂ側をケース本体３の正面壁４にさらに強く保持することができる。
なお、係合凹部２２と係合凸部２３とは、正面壁４とカバー部材１１とで、逆の位置に配設することも可能である。また、係合凹部２２と係合凸部２３とは、それら形状を適宜変更することも可能である。
この実施例２に係るたばこ箱用パッケージ１においては、吊下用部材１７を省略して用いることも可能である。
【実施例３】
【００１６】
図８〜図１０は、この考案の実施例３を示すものである。
この実施例３の特徴とするところは、以下の点にある。即ち、カバー保持機構１４は、ケース本体３の正面壁４に左右方向に幅Ｗ５で且つ正面壁４の上端部位から距離Ｅ３の位置に形成された切れ込み部３１からなる。切れ込み部３１には、図１０に示すように、上法からカバー部材１１の自由端部１１Ｂ側が差し込まれる。このとき、カバー部材１１の自由端部１１Ｂは、切れ込み部３１よりも下方では正面壁４内に入り込み、保持される。
また、ケース本体３には、上記の実施例１と同様に、吊下用部材１７が備えられる。
この実施例３の構成によれば、上記の実施例１と同様な効果を得るとともに、カバー保持機構１４として、切れ込み部３１を形成するだけなので、構成が簡単で、廉価とすることができる。
なお、この実施例３に係るたばこ箱用パッケージ１においては、吊下用部材１７を省略して用いることも可能である。
【実施例４】
【００１７】
図１１は、この考案の実施例４を示すものである。
この実施例４の特徴とするところは、以下の点にある。即ち、ケース本体３は、たばこ箱２の大きさに応じて拡縮可能なように、少なくとも一部としての右側面部・左側面部が、蛇腹状部材４１としての右側蛇腹状部材４１Ａ・左側蛇腹状部材４１Ｂによって構成される。
右側蛇腹状部材４１Ａ・左側蛇腹状部材４１Ｂは、前後方向Ｘで拡縮可能であって、例えば、たばこ箱２の奥行きがＤ１よりも大きな場合に、その大きさに倣うように、奥行きがＤ２へ変化する。
また、ケース本体３には、上記の実施例１と同様に、吊下用部材１７が備えられる。
この実施例４の構成によれば、ケース本体３の奥行きを拡縮できるので、たばこ箱２の奥行きが異なっても対処することができ、簡便である。
なお、ケース本体３においては、正面壁４・背面壁５を蛇腹状部材で構成することも可能である。
また、この実施例４に係るたばこ箱用パッケージ１においては、吊下用部材１７を省略して用いることも可能である。
【００１８】
この考案においては、たばこ箱用パッケージ１を、左右方向で複数個並べたり、あるいは、上下方向で複数個積層して用いることも可能である。
【産業上の利用可能性】
【００１９】
この考案に係る商品陳列用パッケージを、たばこ箱に限定されず、他の各種商品にも適用可能である。
【符号の説明】
【００２０】
１  たばこ箱用パッケージ（商品陳列用パッケージ）
２  たばこ箱
３  ケース本体
４  正面壁
４Ａ  正面壁の湾曲面
５  背面壁
６  右側面壁
７  左側面壁
８  底面壁
９  収納空間
１０  開口部
１１  カバー部材
１１Ａ  カバー部材の基端部
１１Ｂ  カバー部材の自由端部
１２  カバー部材の覆い用部
１３  カバー部材の保持用部
１４  カバー保持機構
１５  帯通し部材（ベルト）
１６  固着手段
１６Ａ  右側固着手段
１６Ｂ  左側固着手段
１７  吊下用部材
１７Ａ  吊下用部材の基端部
１７Ｂ  吊下用部材の自由端部
１８  吊下用孔
【図１】
0003211942.tif 000003
【図２】
0003211942.tif 000004
【図３】
0003211942.tif 000005
【図４】
0003211942.tif 000006
【図５】
0003211942.tif 000007
【図６】
0003211942.tif 000008
【図７】
0003211942.tif 000009
【図８】
0003211942.tif 000010
【図９】
0003211942.tif 000011
【図１０】
0003211942.tif 000012
【図１１】
0003211942.tif 000013